(57)【特許請求の範囲】
【請求項１】
着用物品用のディスプレイパネルであって、
パネル本体と、前記パネル本体に配置された機能表示部とを有し、
前記機能表示部は、前記着用物品に使用される伸縮性シートと、前記伸縮性シートを非伸長状態で保持するための支持部材とを含み、
前記支持部材は、前記伸縮性シートの実質的に伸長する領域を前記支持部材から離間させた状態で前記伸縮性シートを伸長するための操作部を有する前記ディスプレイパネル。
【請求項２】
前記パネル本体は、主体部と、前記主体部の下方に位置する下端部とを有し、前記着用物品が前記下端部に配置されており、前記機能表示部が前記主体部に配置される請求項１に記載のディスプレイパネル。
【請求項３】
前記支持部材は、操作部と、前記パネル本体に固定された固定部とを有し、前記操作部と前記固定部とがそれらの間に位置するヒンジ部を介して連設されており、前記操作部の内面に前記伸縮性シートの一方端部が固定され、前記固定部の内面に前記伸縮性シートの他方端部が固定される請求項１又は２に記載のディスプレイパネル。
【請求項４】
前記操作部の中央部には、透孔が形成されており、前記透孔から前記伸縮性シートの一部が露出する請求項１〜３のいずれかに記載のディスプレイパネル。
【請求項５】
前記支持部材は、基部と、一対の前記操作部とを含み、前記基部は、一対の上面と、前記上面から前記パネル本体に対して斜めに延びる側面と、前記パネル本体に取り付けられた底面とを有し、前記上面、側面及び底面がそれらの間に位置するヒンジ部を介して連設されており、前記伸縮性シートの両端部が、それぞれ前記一対の上面とそれに対応する前記一対の操作部との間に介在された状態で固定される請求項１又は２に記載のディスプレイパネル。
【請求項６】
前記一対の操作部は、それらが引っ張られる方向を示す矢印形状を有する請求項５に記載のディスプレイパネル。
【請求項７】
前記支持部材は、厚紙又はプラスチックから形成された１枚のパネル部材であって、前記ヒンジ部はパネル部材を折曲して形成された折曲部位である請求項３，５，６のいずれかに記載のディスプレイパネル。
【請求項８】
前記伸縮性シートの前記支持部材内における最大限度の伸長率は、約１．３〜２．０倍である請求項１〜７のいずれかに記載のディスプレイパネル。
【請求項９】
前記パネル本体は、その幅寸法を二等分する縦中心線をさらに有し、前記機能表示部は前記縦中心線に対して斜めに配置される請求項１〜８のいずれかに記載のディスプレイパネル。
【発明の詳細な説明】
【技術分野】
【０００１】
本発明は、使い捨ておむつや生理用ナプキン等の着用物品用のディスプレイパネルに関する。
【背景技術】
【０００２】
従来、スーパーやデパート等の小売店において、販促目的のための使い捨ておむつや生理用ナプキン等の着用物品用のディスプレイパネルは公知である。かかる従来のディスプレイパネルでは、着用物品をパネル本体に配置し、消費者が着用物品に直接触れて、使用されている材料の柔軟性や肌触りを確認することができた。
【０００３】
しかし、着用物品がパネル本体に配置されている状態では、着用物品の一部を引っ張ってその伸縮性能を確認したり、使用されている伸縮性シート自体の伸縮力を確認することができなかった。そのため、着用物品に使用されている伸縮性シート自体の伸び易さ、表面の柔軟性や滑らかさ等を消費者により実感として認識させ、その伸縮性能をアピールすることのできるツールを備えたディスプレイパネルが求められていた。
【発明の概要】
【発明が解決しようとする課題】
【０００４】
本発明の課題は、従来の着用物品用のディスプレイパネルの改良であって、比較的に簡易な構成からなる機能表示部を有し、着用物品に使用される伸縮性シートの伸び易さ等を消費者に対してよりアピールすることのできるディスプレイパネルの提供にある。
【課題を解決するための手段】
【０００５】
前記課題を解決するための、本発明は、着用物品用のディスプレイパネルに関する。
【０００６】
本発明に係る着用物品用のディスプレイパネルは、パネル本体と、前記パネル本体に配置された機能表示部とを有し、前記機能表示部は、前記着用物品に使用される伸縮性シートと、前記伸縮性シートを非伸長状態で保持するための支持部材とを含み、前記支持部材は、前記伸縮性シートの実質的に伸長する領域を前記支持部材から離間させた状態で前記伸縮性シートを伸長するための操作部を有することを特徴とする。
【発明の効果】
【０００７】
本発明に係る着用物品用のディスプレイパネルの特にそのひとつ以上の実施態様によれば、消費者である操作者が、パネル本体に配置された機能表示部の操作部を操作することによって簡単に伸縮性シートを伸長させることができ、伸縮性シートの伸び易さ、非伸長時及び伸長時における表面の柔軟性や滑らかさ等を実感させることができる。また、伸縮性シートは、伸長された状態において支持部材から離間しているので、伸長時における伸縮性シートの柔軟性等を直接触れて確認することができるとともに、伸縮性シートは引張力から解放されることによって収縮して操作部は自動に元の位置まで戻るので、かかる操作を繰り返し行うことができる。
【図面の簡単な説明】
【０００８】
【図１】本発明の第１実施形態における着用物品用のディスプレイパネルの使用状態を示す平面図。
【図２】ディスプレイパネルの平面図。
【図３】着用物品の一例として示す、使い捨ておむつの斜視図。
【図４】前後ウエスト域の両側縁を剥離して、前後方向に展開した使い捨ておむつの展開図。
【図５】（ａ），（ｂ）機能表示部の展開された状態を示す図。
【図６】本発明の第２実施形態におけるディスプレイパネルの平面図。
【図７】第２実施形態における着用物品用のディスプレイパネルの平面図。
【図８】機能表示部の分解斜視図。
【図９】（ａ）機能表示部の平面図。（ｂ）機能表示部が一部展開された状態を示す平面図。（ｃ）機能表示部が展開された状態を示す平面図。
【図１０】（ａ）図９（ａ）の状態の機能表示部を横から見た図。（ｂ）図９（ｂ）の状態の機能表示部を横から見た図。（ｃ）図９の（ｃ）の状態の機能表示部を横から見た図。
【発明を実施するための形態】
【０００９】
＜第１実施形態＞
図１及び２を参照すると、ディスプレイパネル１０は、縦方向Ｙ及び横方向Ｘを有し、所要の厚さを有する厚紙又はプラスチック材料等から形成されたパネル状であって、その横方向Ｘにおける寸法を二等分する縦中心線Ｃ―Ｃとを有するパネル本体１１と、パネル本体１１に取り付けられた機能表示部１２とを含む。パネル本体１１は、矩形状の主体部１３と、主体部１３の下方に位置する二股状の下端部１４とを有し、パネル本体１１には、着用物品の一例として示す、パンツ型の使い捨ておむつ１５が配置されている。主体部１３は、上端縁１３ａと、両側縁１３ｂ，１３ｃとを有し、上端縁１３ａ沿いには横方向Ｘにおいて離間する一対の透孔１６が設けられている。図１に示すとおり、透孔１６は、ディスプレイパネル１０を小売店の陳列棚や壁に吊持させるための紐１７を挿通させるためのものであって、紐１７をフック１８を介して壁等に固定されたピン１９に掛けることによって、ディスプレイパネル１０を吊持させることができる。
【００１０】
図２に示すとおり、ディスプレイパネル１０は、縦方向Ｙの寸法Ｌ１が約２５．0〜４０．０ｃｍ、横方向Ｘの寸法Ｗ１が約１５．０〜３０．０ｃｍである。機能表示部の幅寸法Ｗ２は、約４．０〜１０．０ｃｍ長さ寸法Ｌ２は、約８．０〜１２．０ｃｍである。ディスプレイパネル１０の主体部１３の両側縁１３ｂ，１３ｃには、横方向Ｘにおいて対向する鋸状に連続する突起部２１が設けられており、下端部１４において、一対の曲状の脚部２２が、主体部１３の両側縁１３ｃ，１３ｂよりも横方向Ｘの外方へ延びている。
【００１１】
図３及び４を参照すると、おむつ１５は、通常市販されているパンツ型おむつ１５と同様の基本的構成を有するものであって、前後ウエスト域２５，２６と、クロッチ域２７と、クロッチ域２７から前後ウエスト域２５，２６に延びる体液吸収体２８と、ウエスト開口３０と一対のレッグ開口３１とを含む。前後ウエスト域２５，２６の内面には、伸縮性繊維不織布から形成された伸縮性シート３２が配置される。また、レッグ開口縁部に沿って伸縮性シート３４が配置され、ウエスト開口縁部には複数条のストランド状又はストリング状の弾性体３３が配置される。おむつ１５の前後ウエスト域２５，２６の内面には、伸縮性シート３２が配置されているので、非伸縮性シートと複数条のストリング状又はストランド状の弾性体との組み合わせによって伸縮性を付与している場合に比して、表面の柔軟性や滑らかさに優れ、着用者への肌触りが良好である。
【００１２】
おむつ１５は、ディスプレイパネル１０に配置された状態において、レッグ開口３１に脚部２２が挿通され、かつ、主体部１３の両側縁１３ｂ，１３ｃの突起部２１にウエスト開口縁部が係止された状態となっている。具体的には、ウエスト開口縁部の伸縮作用と相俟ってその一部が突起部２１間に位置する凹部に入り込むように係止されるので、ディスプレイパネル１０の使用中におむつ１５が不用意に位置ずれしたりパネル本体１１から落下したりするおそれはない。また、ウエスト開口縁部の突起部２１に対する係止位置を縦方向Ｙにおいて段階的に調整することによって、消費者の目線の位置等に合せて、ディスプレイパネル１０に対するおむつ１５の位置を変えることができる。また、おむつ１５のウエスト開口縁部及びレッグ開口縁部は、それぞれ伸縮性シート３４、弾性体３３の伸縮作用によってその周方向に沿って伸縮するので、それぞれ主体部１３と脚部２２とに安定的に当接し、おむつ１５がより安定的にパネル本体１１に配置される。
【００１３】
機能表示部１２は、厚紙や弾性変形可能な軟質のプラスチック材料等から形成された１枚のパネル部材を二つに折り曲げてなる略矩形状の支持部材４０を有する。支持部材４０は、操作部４１と、操作部４１と同形であってそれと対向する固定部４２とを有する。操作部４１と固定部４２との内面には、短片状の伸縮性シート４３の両端部４３ａ，４３ｂがそれぞれ固定されている。伸縮性シート４３は、おむつ１５の前後ウエスト域２５，２６の内面に配置された伸縮性シート３２と同一のシート材料であって、それを所要の大きさにカットしたものである。操作部４１と固定部４２とは、支持部材４０を形成するシート材料を折り曲げてなる折曲部位（ヒンジ部）４５を介して連設される。固定部４２は、パネル本体１１に着脱可能または着脱不能に固定されており、操作部４１を折曲部位４５を支点として横方向Ｘの外方に向かって旋回させることによって、支持部材４０が展開され、その内面が露出する。操作部４１は、側縁側に摘持部４７を有し、その中央部には円形の透孔４８が設けられている。支持部材４０が閉じられた状態（操作部４１と固定部４２とが互いに重なりあった状態）において、操作部４１の透孔４８から伸縮性シート４３の一部が露出される。したがって、操作者（消費者）は、露出された伸縮性シート４３を直接触れることができ、支持部材４０が閉じられた状態（伸縮性シートの非伸長状態）において伸縮性シート４３の柔軟性や肌触りを確認することができる。また、透孔４８が形成されていることによって、後記のとおり、操作部４１を指で摘んで引っ張るときに、伸縮性シート４３の内外面に直接触れることができ、その柔軟性や滑らかさをより実感することができる。
【００１４】
図５（ａ）に示すとおり、摘持部４７近傍の操作部４１の内面と、それに対向する固定部４２の内面の部位とには、それらを互いに係脱可能に連結するためのファスナ手段を構成する第１ファスニング要素５０と第２ファスニング要素５１とがそれぞれ配置される。第１ファスニング要素５０には、例えば、メカニカルファスナのフック群、第２ファスニング要素５１にはそれに対応したループ群を用いることができる。支持部材４０は、その閉じた状態において、操作部４１の第１ファスニング要素５０と固定部４２の第２ファスニング要素５１とが係合されることによって、かかる折曲状態を維持することができる。
【００１５】
図５（ｂ）に示すとおり、操作部４１をそれが固定部４２とほぼ平行になるまで旋回させることによって、操作部４１と固定部４２との内面に固定された伸縮性シート４３は、支持部材４０内において最大限度伸長される。ここで、「最大限度伸長される」とは、伸縮性シート４３自体の最大伸長度を示すものではなく、支持部材４０内において最大限度に伸長されることを意味するものである。具体的には、伸縮性シート４３は非伸縮状態において、その長さ寸法が約１０．０〜１５．０ｃｍであるところ、支持部材４０内で最大限度伸長された状態において、その長さ寸法Ｌ３は約１３．０〜２２．５ｃｍとなり、伸縮性シート４３は伸長率約１．３〜１．５倍まで伸長される。したがって、例えば、伸縮性シート４３の長さ寸法が約１０．０ｃｍであって、操作部４１と固定部４２との内面にそれぞれ固定される両端部４３ａ，４３ｂの長さ寸法が約１．０ｃｍ、両端部４３ａ，４３ｂ間に位置する実質伸長領域である中央部４３ｃの長さ寸法が８．０ｃｍの場合においては、中央部４３ｃの長さ寸法は約１０．４〜１２．０ｃｍとなる。このように、操作部４１の可動領域において伸縮性シート４３の伸縮度合を調整することによって、伸縮性シート４３を伸長率約１．０〜１．５倍まで自在に伸長させることができる。再び、図２を参照すると、伸縮性シート４３の非伸長状態における長さ寸法の半分の大きさ（操作部４１と対向する部分の長さ）は、機能表示部１２の幅寸法Ｗ２よりも小さく、かつ、伸縮性シート４３の折曲部位４３ｄと折曲部位４５との間に離間寸法Ｒが生じることによって、操作部４１を引っ張ったときに伸縮性シート４３が所要の倍率まで伸長される。すなわち、かかる離間部位が存在することによって展開されたときに伸縮性シート４３と支持部材４０との間にスペースが形成され、伸縮性シート４３が最大限度伸長された状態において、離間寸法Ｒの大きさの分だけ伸縮性シート４３が伸長される。
【００１６】
このように、機能表示部１２の簡易な操作によって、伸縮性シート４３の伸縮力を視覚的に消費者にアピールすることができるとともに、伸縮性シート４３の伸長状態においてそれが支持部材４０から離間しているので、伸縮性シート４３の表面を他方の指で直接摘むことによって、伸長時における伸縮性シート４３の柔軟性や滑らかさ等の触感を消費者にアピールすることができる。また、操作者が一方の手を摘持部４７から離すことによって、伸縮性シート４３の収縮作用によって操作部４１は固定部４２側へ移動しそれと重なるように元の位置に復帰するので、操作部４１の旋回を繰り返すことによって、伸縮性シート４３を何度でも伸縮させることができる。
【００１７】
本実施形態において、機能表示部１２を構成する支持部材４０は、パネル本体１１とは別体から構成されているが、一体に形成されていてもよい。また、支持部材４０を別体に形成した場合、固定部４２の下面に感圧性接着剤やメカニカルファスナ等の係合手段を設け、着脱可能にパネル本体１１に取り付けられていてもよい。機能表示部１２は、主体部１３においておむつ１５よりも上方に位置していることが好ましい。操作者である消費者は、最初に、購入する商品であるおむつ１５に直接触れて柔軟性等を確認し、次に、そのおむつ１５に使用された材料である伸縮性シート４３の伸縮性等を確認すると考えられる。したがって、機能表示部１２がおむつ１５の下方に位置する場合には、消費者にそれが視認されないおそれがあるからである。
【００１８】
また、機能表示部１２は、パネル本体１１の縦中心線Ｃ−Ｃに対して斜めに配置される。機能表示部１２が、縦中心線Ｃ−Ｃとほぼ平行して配置される場合には、操作部４１を旋回させて完全に支持部材４０が展開されるときに、一方の手で操作部４１を引っ張ると同時にパネル本体１１が横方向Ｘに揺動するおそれがあるので、操作者は他方の手でパネル本体１１を抑える必要がある。一方、機能表示部１２が縦中心線Ｃ−Ｃに対して斜めに配置される場合には、操作部４１はやや下方へ引っ張られながら旋回されるので、パネル本体１１が横方向Ｘに大きく揺動するおそれはなく、操作者は片手で簡易に操作することができる。図示していないが、パネル本体１１及び機能表示部１２の表面に、色彩や模様、キャラクター等の組み合わせからなる装飾要素や商品のブランド商標、キャッチフレーズ等の記述的要素を印刷やシールによって配置してもよい。また、機能表示部１２の表面には、伸縮性シート４３がおむつ１０に使用されているシート材料であることや操作部４１を旋回させて支持部材４０を展開させることを促すような記述や記号、図柄等を付すことが好ましい。
【００１９】
既述のとおり、本発明に係るディスプレイパネル１０は、着用物品の販促品としてスーパーやドラッグストア等の小売店の商品棚や壁に直接吊持させて、着用物品に使用されるシート材料の伸び易さ、柔軟性や滑らかさ等を操作者である消費者に視覚的かつ触感的に実感させるための機能表示部１２を備えるものである。したがって、単に着用物品のみを配置する場合に比して、着用物品に使用されるシート材料の性質及びそれを使用した着用物品の性能を明確に消費者にアピールすることができる。特に、本実施形態のように、おむつの内面に配置された伸縮性シート３２については、その伸び易さや柔軟性を製品からは確認しずらいので、機能表示部１２を設けることで、シート材料の伸び易さ等をアピールすることができる。なお、機能表示部１２に使用される伸縮性を有するシート材料としては、レッグ開口縁に配置されたシート材料等の他のシート材料のほか、おむつ１５からカットした各構成部材の一部（非伸縮性シートに弾性部材が接合されて伸縮性を有するものを含む。）のであってもよい。
【００２０】
＜第２実施形態＞
図６及び７を参照すると、本実施形態においては、パネル本体１１の下端部１４が先細状であって、機能表示部１２が縦中心線Ｃ−Ｃに対して斜めに交差するように配置されている。パネル本体１１には、主体部１３から下端部１４にかけてプラスチック材料から形成されたパンツ形状の支持部材５０が配置される。支持部材５０は、上下端縁５０ａ，５０ｂと、外側縁５０ｃ，５０ｄと、外側縁５０ｃ，５０ｄの下端から内方へ湾曲して延びる内側縁５０ｅ，５０ｆとを有する。支持部材５０の外側縁５０ｃ，５０ｄは、主体部１３の両側縁部１３ｂ，１３ｃに接着剤又はヒートシール加工等の公知の熱溶着手段によって固定される一方、上下端縁５０ａ，５０ｂ及び内側縁５０ｅ，５０ｆはパネル本体１１に固定されておらず、支持部材５０は両持ちされた状態でほぼドーム状の立体的な形態を有する。パネル本体１１の下端部１４におむつ１５を挿入して配置すると、おむつ１５のウエスト開口縁部およびレッグ開口縁部が立体的な形態を有する支持部材５０に沿って伸長され、ウエスト開口３０及びレッグ開口３１が形成される。したがって、第１実施形態よりもより立体的におむつ１５をパネル本体１１に配置することができる。支持部材５０には、色彩や模様が施されていてもよいが、透明の場合には、操作者が上方から支持部材５０の内側を覗き込むことによって、おむつ１５の内面を確認することができる。
【００２１】
図８を参照すると、機能表示部１２は、１枚の厚紙またはプラスチック材料から形成された支持部材６０を有する。支持部材６０は、断面逆Ω状に折り曲げられた基部６１と、基部６１に固定された矢印状の一対の操作部６２，６３とから構成される。基部６１は、一対の上面６４と、上面６４からパネル本体１１に向かって斜めに延びる一対の側面６５と、パネル本体１１に着脱可能又は着脱不能に固定される底面６６とを有する。上面６４、側面６５及び底面６６はそれぞれ支持部材６０を折り曲げることによって形成された折曲部位を介して連設される。具体的には、側面６５と底面６６とは、それらの間に位置する一対の第１折曲部位（第１ヒンジ部）６８、上面６４と側面６５とは、それらの間に位置する一対の第２折曲部位（第２ヒンジ部）６９を介して連設される。上面６４どうしの離間距離は、伸縮性シート４３の非伸縮状態における長さ寸法Ｌ４とほぼ同じであって、伸縮性シート４３の両側部４３ａ，４３ｂを上面６４と操作部６２，６３との間に挟持した状態で、上面６４、両側部４３ａ，４３ｂ及び操作部６２，６３が接着又は溶着によって互いに固定される。
【００２２】
図９（ａ）及び図１０（ａ）に示すとおり、機能表示部１２の非操作状態において、伸縮性シート４３は収縮している。また、図９（ｂ）及び図１０（ｂ）に示すとおり、操作者が一方の手で操作部６２を摘まみ、他方の手で操作部６３を摘まんでそれぞれ互いに逆向きの矢印Ｐ，Ｑの方向へ引っ張ったときに、ヒンジ部６８を支点として側面６５が矢印Ｐ，Ｑの方向へ僅かに倒伏され、伸縮性シート４３が伸長される。図９（ｃ）及び図１０（ｃ）を参照すると、さらに操作部６２，６３をそれぞれ矢印Ｐ，Ｑの方向へ引っ張ると、側面６５が完全に倒伏されて、伸縮性シート４３が底面６６と当接して、支持部材６０内において伸縮性シート４３が最大限度伸長される。図１０（ｃ）に示すとおり、伸縮性シート４３は、矢印Ｐ，Ｑの両方から所要の長さにまで引っ張られるので、第１実施形態よりもより大きく伸長され、中央部が歪んで幅狭になっている。
【００２３】
本実施形態の機能表示部１２においては、伸縮性シート４３は非伸長状態（弛緩状態）及び伸長状態（緊張状態）において支持部材６０の底面６６から離間した状態で保持されているので、操作者は、伸縮性シート４３を直接指で摘むことによって、収縮時及び伸長時におけるその柔軟性や肌触り、伸縮度合いを確認することができる。また、伸縮性シート４３を伸長した状態において、操作者が操作部６２，６３から指を離して伸縮性シート４３を緊張状態から解放することによって、操作部６２，６３は伸縮性シート４３の収縮によって元の位置まで戻るので、かかる操作を繰り返し行うことができる。
【００２４】
非伸長状態における伸縮性シート４３の長さ寸法Ｌ４は約１０．０〜１５．０ｃｍであるところ、伸縮性シート４３が支持部材６０内において最大限度伸縮された状態において、その長さ寸法Ｌ５は、約１６．０〜３０．０ｃｍであり、約１．６〜２．０倍に伸長される。したがって、例えば、伸縮性シート４３の長さ寸法が約１０ｃｍであって、操作部４１と固定部４２との内面にそれぞれ固定される両端部４３ａ，４３ｂの長さ寸法が約１．０ｃｍ、両端部４３ａ，４３ｂ間に位置する実質伸長領域の長さ寸法が８．０ｃｍの場合においては、実質伸長領域の長さ寸法は約１２．８〜１６．０ｃｍとなる。このように、機能表示部１２は、操作部６２，６３による引張力を調整することによって、伸縮性シート４３を約１．０〜２．０倍まで自在に伸長させることができる。
【００２５】
本実施形態におけるディスプレイパネル１０によれば、第１実施形態に比して、より伸縮性シート４３を伸縮することができ、その伸び易さをさらにアピールすることができる。ただし、第１実施形態においても、パネル本体１１、支持部材４０及び伸縮性シート４３の大きさを調整することによって第２実施形態と同様の長さにまで伸縮性シート４３を伸長でき、第１及び第２実施形態において、伸縮性シート４３を支持部材４０，６０内において最大限度１．３〜２．０倍まで伸長させるように設定することもできる。機能表示部１２は、縦中心線Ｃ−Ｃに対して斜めに取り付けられているので、操作者は操作し易く、各操作部６２，６３を互いに逆向きの矢印Ｐ，Ｑの方向へそれぞれ引っ張ったとしてもパネル本体１１が横方向Ｘに大きく揺れて、操作中にピン１９又はフック１８から紐１７が外れてティスプレイパネル１０が落下するおそれはない。操作部６２，６３は矢印形状の他に、矩形や円形等の公知の形状であってもよい。また、操作部６２，６３の表面において、キャラクター、色彩や模様等の組み合わせによる装飾要素を印刷又は／及びシールによって配置してもよいし、それらを矢印Ｐ，Ｑ方向に引っ張って操作することが分かる記載を付してもよい。
【００２６】
本発明において、支持部材４０，６０は、厚紙又は軟質のプラスチック材料から形成された１枚のパネル部材を折曲して各ヒンジ部４５，６８，６９を形成しているが、第１実施形態においては操作部４１と固定部４２、第２実施形態においては、底面６１，上面６４，側面６５がそれぞれ別体から形成され、それらの連結部位がヒンジ部として機能するように形成してもよい。
【００２７】
本発明のディスプレイパネル１０を構成する各構成部材には、本明細書に記載されている材料のほかに、この種の物品において通常用いられている各種の公知の材料を制限なく用いることができる。本明細書に記載した各種寸法は、例示であって、使用する着用物品の種類、大きさによって、ディスプレイパネル１０の大きさは適宜変更されるものである。また、本発明の明細書及び特許請求の範囲において、「第１」及び「第２」等の用語は、同様の要素、位置などを単に区別するために用いられている。
【００２８】
以上に記載した本発明に関する開示は、少なくとも下記事項に要約することができる。
着用物品用のディスプレイパネルであって、パネル本体と、前記パネル本体に配置された機能表示部とを有し、前記機能表示部は、前記着用物品に使用される伸縮性シートと、前記伸縮性シートを非伸長状態で保持するための支持部材とを含み、前記支持部材は、前記伸縮性シートの実質的に伸長する領域を前記支持部材から離間させた状態で前記伸縮性シートを伸長するための操作部を有する前記ディスプレイパネル。
【００２９】
上記段落００２８に開示の本発明は、少なくとも下記の実施形態を含むことができる。
（１）前記パネル本体は、主体部と、前記主体部の下方に位置する下端部とを有し、前記着用物品が前記下端部に配置されており、前記機能表示部が前記主体部に配置される。
（２）前記支持部材は、操作部と、前記パネル本体に固定された固定部とを有し、前記操作部と前記固定部とがそれらの間に位置するヒンジ部を介して連設されており、前記操作部の内面に前記伸縮性シートの一方端部が固定され、前記固定部の内面に前記伸縮性シートの他方端部が固定される請求項１又は２に記載のディスプレイパネル。
（３）前記操作部の中央部には、透孔が形成されており、前記透孔から前記伸縮性シートの一部が露出する。
（４）前記支持部材は、基部と、一対の前記操作部とを含み、前記基部は、一対の上面と、前記上面から前記パネル本体に対して斜めに延びる側面と、前記パネル本体に取り付けられた底面とを有し、前記上面、側面及び底面がそれらの間に位置するヒンジ部を介して連設されており、前記伸縮性シートの両端部が、それぞれ前記一対の上面とそれに対応する前記一対の操作部との間に介在された状態で固定される。
（５）前記一対の操作部は、それらが引っ張られる方向を示す矢印形状を有する。
（６）前記支持部材は、厚紙又はプラスチックから形成された１枚のパネル部材であって、前記ヒンジ部はパネル部材を折曲して形成された折曲部位である。
（７）前記伸縮性シートの前記支持部材内における最大限度の伸長率は、約１．３〜２．０倍である。
（８）前記パネル本体は、その幅寸法を二等分する縦中心線をさらに有し、前記機能表示部は前記縦中心線に対して斜めに配置される。
【符号の説明】
【００３０】
１０  ディスプレイパネル
１１  パネル本体
１２  機能表示部
１３  主体部
１４  下端部
１５  着用物品（使い捨ておむつ）
４０  支持部材
４１  操作部
４３  伸縮性シート
４３ａ，４３ｂ  伸縮性シートの両端部
４３ｃ  伸縮性シートの中央部
４５  折曲部位（ヒンジ部）
６０  支持部材
６１  基部
６２，６３  操作部
６４  上面
６５  側面
６６  底面
６８  第１折曲部位（第１ヒンジ部）
６９  第２折曲部位（第２ヒンジ部）
Ｌ４  非伸長状態における伸縮性シートの長さ寸法
Ｌ５  伸長状態における伸縮性シートの長さ寸法
【図１】
0005854927.tif 000002
【図２】
0005854927.tif 000003
【図３】
0005854927.tif 000004
【図４】
0005854927.tif 000005
【図５】
0005854927.tif 000006
【図６】
0005854927.tif 000007
【図７】
0005854927.tif 000008
【図８】
0005854927.tif 000009
【図９】
0005854927.tif 000010
【図１０】
0005854927.tif 000011